(57)【要約】【課題】紛失した物品を容易に探し出す。【解決手段】物品１０にラベル２０を貼付して物品１０の検索を行う検索システムにおいて、ラベル２０に、非接触状態にて情報の書き込み及び読み出しが可能な回路部を内蔵し、また、回路部に書き込まれた情報を非接触状態にて読み出し可能に構成され、外部からの指定に基づく情報を回路部から読み出した場合に所定の情報を出力する情報書込／読出装置３０を設ける。【選択図】　図１
2004094534.tif 000002
【特許請求の範囲】
【請求項１】
物品に貼付されたラベルを用いて該物品の検索を行う検索システムであって、
前記ラベルには、非接触状態にて情報の書き込み及び読み出しが可能な回路部が内蔵され、
前記回路部に書き込まれた情報を非接触状態にて読み出し可能に構成され、外部からの指定に基づく情報を前記回路部から読み出した場合に所定の情報を出力する検索手段を有することを特徴とする検索システム。
【請求項２】
請求項１に記載の検索システムにおいて、
前記ラベルには、内部に書き込まれた識別情報が互いに異なるとともに、前記検索手段による非接触状態における情報の読み出し可能距離が互いに異なる複数の回路部が内蔵されており、
前記検索手段は、前記回路部から前記識別情報を読み出した際に該識別情報毎に異なる情報を出力することを特徴とする検索システム。
【請求項３】
請求項２に記載の検索システムにおいて、
前記検索手段は、前記回路部から前記識別情報を読み出した際に該識別情報毎に異なる音量を有する音情報を出力することを特徴とする検索システム。
【請求項４】
請求項２または請求項３に記載の検索システムにおいて、
前記検索手段は、前記回路部から前記識別情報を読み出した際に該識別情報毎に点滅周期の異なる光情報を出力することを特徴とする検索システム。
【請求項５】
請求項１乃至４のいずれか１項に記載の検索システムにおいて、
前記ラベルは、一方の面が、情報が記載可能に構成された情報記載面であり、他方の面が貼付面であることを特徴とする検索システム。
【請求項６】
請求項５に記載の検索システムにおいて、
前記ラベルは、前記貼付面が複写機能を有することを特徴とする検索システム。
【発明の詳細な説明】
【０００１】
【発明の属する技術分野】
本発明は、所望の物品等を検索する検索システムに関し、特に、物品等にラベルを貼付し、このラベルを用いて検索を行う検索システムに関する。
【０００２】
【従来の技術】
一般に、家庭内等において、パスポートや健康保険証等の重要書類や、テレビやビデオのリモコン等といった紛失しやすい物品においては、保管場所を予め決めておき、その保管場所に保管することにより、紛失することが防止されている。
【０００３】
【発明が解決しようとする課題】
しかしながら、上述したように物品の保管場所を決めておくことにより物品の紛失を防止する方法だけでは、例えば、物品を保管場所とは異なる場所に置き、その場所を忘れてしまった場合、物品が紛失し、紛失した物品を探し出すのに手間と時間がかかってしまうという問題点がある。
【０００４】
特に、検索対象となる物品が他の物品等の下にもぐりこんでいたり、検索対象となる物品が他の物品等の影に隠れていたりする場合、物品を探し出すためにかなりの手間と時間がかかってしまう。
【０００５】
本発明は、上述したような従来の技術が有する問題点に鑑みてなされたものであって、紛失した物品を容易に探し出すことができる検索システムを提供することを目的とする。
【０００６】
【課題を解決するための手段】
上記目的を達成するために本発明は、
物品に貼付されたラベルを用いて該物品の検索を行う検索システムであって、前記ラベルには、非接触状態にて情報の書き込み及び読み出しが可能な回路部が内蔵され、
前記回路部に書き込まれた情報を非接触状態にて読み出し可能に構成され、外部からの指定に基づく情報を前記回路部から読み出した場合に所定の情報を出力する検索手段を有することを特徴とする。
【０００７】
また、前記ラベルには、内部に書き込まれた識別情報が互いに異なるとともに、前記検索手段による非接触状態における情報の読み出し可能距離が互いに異なる複数の回路部が内蔵されており、
前記検索手段は、前記回路部から前記識別情報を読み出した際に該識別情報毎に異なる情報を出力することを特徴とする。
【０００８】
また、前記検索手段は、前記回路部から前記識別情報を読み出した際に該識別情報毎に異なる音量を有する音情報を出力することを特徴とする。
【０００９】
また、前記検索手段は、前記回路部から前記識別情報を読み出した際に該識別情報毎に点滅周期の異なる光情報を出力することを特徴とする。
【００１０】
また、前記ラベルは、一方の面が、情報が記載可能に構成された情報記載面であり、他方の面が貼付面であることを特徴とする。
【００１１】
また、前記ラベルは、前記貼付面が複写機能を有することを特徴とする。
【００１２】
（作用）
上記のように構成された本発明においては、非接触状態にて情報の書き込み及び読み出しが可能な回路部が内蔵されたラベルを物品に貼付しておき、この物品を探し出す場合、検索手段にて所望の物品を探し出すための指定を行うと、この指定に基づく情報が検索手段にて回路部から読み出された場合に所定の情報が出力される。
【００１３】
このように、物品に貼付されたラベルに書き込まれた情報を非接触状態にて読み出すことにより物品を探し出すため、物品を紛失した場合においても紛失した物品を容易に探し出すことができる。
【００１４】
また、ラベルに、内部に書き込まれた識別情報が互いに異なるとともに、検索手段による非接触状態における情報の読み出し可能距離が互いに異なる複数の回路部を内蔵しておき、検索手段において、回路部から識別情報を読み出した際に識別情報毎に異なる情報を出力するように構成すれば、検索対象となる物品までの距離を認識することができる。
【００１５】
また、ラベルの一方の面を、情報が記載可能に構成された情報記載面とし、他方の面を貼付面とし、さらに、貼付面に複写機能を持たせた場合は、貼付する物品を示す情報等をラベルの情報記載面に記載すると、ラベルが物品に貼付される前に貼付されていた台紙にこの情報が複写されることになり、台紙から剥離されたラベルがどの物品に貼付されているかを認識することができるとともに、ラベルを識別するために台紙に予め記載された識別情報を用いて物品を探し出すことができる。
【００１６】
【発明の実施の形態】
以下に、本発明の実施の形態について図面を参照して説明する。
【００１７】
（第１の実施の形態）
図１は、本発明の検索システムの第１の実施の形態を示す図である。
【００１８】
本形態は図１に示すように、物品１０に貼付されたラベル２０と、ラベル２０に対して非接触状態で情報の書き込み及び読み出しを行うとともに、外部から指定された情報とラベル２０から読み出された情報とに従って所定の情報を出力する検索手段である情報書込／読出装置３０とから構成されている。また、情報書込／読出装置３０は、情報を入力するためのテンキー等の操作部３１と、操作部３１を介して入力された情報を記憶する記憶部３２と、ラベル２０に対する情報の書き込み及び読み出しを非接触状態で行う情報書込／読出部３３と、ＬＥＤ等の発光体からなり、操作部３１にて指定された情報と情報書込／読出部３３にてラベル２０から読み出された情報とに基づいて発光する発光部３４と、ブザー等からなり、操作部３１にて指定された情報と情報書込／読出部３３にてラベル２０から読み出された情報とに基づいて音情報を出力する音情報出力部３５と、液晶パネル等からなり、記憶部３２に記憶された情報等が表示される情報表示部３６と、操作部３１を介して入力された情報を記憶部３２に記憶し、操作部３１にて指定された情報と情報書込／読出部３３にてラベル２０から読み出された情報とに基づいて発光部３４及び音情報出力部３５を制御し、また、記憶部３２に記憶された情報等を情報表示部３６に表示させる制御部３７とから構成されている。
【００１９】
図２は、図１に示したラベル２０の構成を示す図である。
【００２０】
本形態におけるラベル２０は図２に示すように、情報書込／読出装置３０によって非接触状態にて情報の書き込み及び読み出しが行われる２つの回路部２１ａ，２１ｂが設けられており、２つの回路部２１ａ，２１ｂはそれぞれ、情報書込／読出装置３０による電磁誘導によって電流が生じ、情報書込／読出装置３０との間にて情報の送受信を行うための導電性を有するコイル状のアンテナ２３ａ，２３ｂと、アンテナ２３ａ，２３ｂとそれぞれ接続され、アンテナ２３ａ，２３ｂを介して情報書込／読出装置３０との間にて非接触状態にて情報の書き込み及び読み出しが可能なＩＣモジュール２２ａ，２２ｂとから構成されており、アンテナ２３ａの外径がアンテナ２３ｂの外径よりも大きくなるように構成されている。そのため、情報書込／読出装置３０による非接触状態における情報の読み出し可能距離が、回路部２１ｂよりも回路部２１ａの方が長くなっている。また、ＩＣモジュール２２ａ，２２ｂには、ＩＣモジュール２２ａ，２２ｂ毎にそれぞれ予め与えられた識別情報が書き込まれている。
【００２１】
以下に、上記のように構成された検索システムを用いた物品１０の検索方法についてフローチャートを参照して説明する。
【００２２】
まず、物品１０に貼付されたラベル２０に所望の情報を書き込む際の処理について説明する。
【００２３】
図３は、図１及び図２に示した検索システムにて物品１０に貼付されたラベル２０に情報を書き込む際の処理を説明するためのフローチャートである。
【００２４】
まず、ラベル２０を所望の物品１０に貼付するとともに（ステップＳ１）、情報書込／読出装置３０の操作部２１を介して、例えば、貼付した物品１０を示す情報を入力する（ステップＳ２）。
【００２５】
すると、情報書込／読出装置３０の制御部３７において、操作部２１を介して入力された情報に対応するコードが生成される（ステップＳ３）。
【００２６】
その後、情報書込／読出装置３０をラベル２０に近接させ、操作部２１に対して所定の操作を行うと、制御部３７の制御によって、情報書込／読出部３３において、生成されたコードがラベル２０に設けられたＩＣモジュール２２ａ，２２ｂに書き込まれる（ステップＳ４）。
【００２７】
また、制御部３７の制御によって、操作部２１を介して入力された情報とこれに対応して生成されたコードとが対応づけられて記憶部３２に書き込まれる（ステップＳ５）。
【００２８】
これにより、情報書込／読出装置３０の操作部２１を介して入力された情報が、物品１０に貼付されたラベル２０に書き込まれることになる。
【００２９】
次に、ラベル２０に書き込まれた情報を用いて物品１０を検索する際の処理について説明する。
【００３０】
図４は、図１及び図２に示した検索システムにてラベル２０に書き込まれた情報を用いて物品１０を検索する際の処理を説明するためのフローチャートである。
【００３１】
まず、情報書込／読出装置３０の操作部２１にて所定の操作を行うと、制御部３７の制御によって、記憶部３２に記憶された情報が読み出され（ステップＳ１１）、情報表示部３６に表示される（ステップＳ１２）。
【００３２】
次に、情報表示部３６に表示された情報の中から検索したい物品１０を示す情報を操作部３１にて指定すると（ステップＳ１３）、制御部３７において、指定された情報に対応づけられて記憶部３２に記憶されたコードが情報書込／読出部３３にて読み出されたかどうかが検出され（ステップＳ１４）、指定された情報に対応づけられて記憶部３２に記憶されたコードが情報書込／読出部３３にて読み出された場合は、制御部３７における制御によって、発光部３４のＬＥＤが所定の周期で点滅するとともに、音情報出力部３５にてブザーが所定の音量で鳴動する（ステップＳ１５）。
【００３３】
ここで、物品１０に貼付されたラベル２０には、情報書込／読出装置３０による非接触状態における情報の読み出し可能距離が互いに異なる２つのＩＣモジュール２２ａ，２２ｂが内蔵されており、また、その読み出し可能距離がＩＣモジュール２２ｂよりもＩＣモジュール２２ａの方が長いため、情報書込／読出装置３０のラベル２０に対する位置パターンとしては、情報書込／読出装置３０がＩＣモジュール２２ａ，２２ｂの情報の読み出し可能範囲外に位置する場合と、情報書込／読出装置３０がＩＣモジュール２２ａの情報の読み出し可能範囲内であって、ＩＣモジュール２２ｂの情報の読み出し可能範囲外に位置する場合と、情報書込／読出装置３０がＩＣモジュール２２ａ，２２ｂの情報の読み出し可能範囲内に位置する場合とが考えられる。そのため、ステップＳ１４における処理のみでは、情報書込／読出装置３０がＩＣモジュール２２ａの情報の読み出し可能範囲内に位置しているかどうかを検出することができるものの、情報書込／読出装置３０がＩＣモジュール２２ｂの情報の読み出し可能範囲内に位置しているかどうかを検出することができない。
【００３４】
そこで、ＩＣモジュール２２ａ，２２ｂに予め与えられ、書き込まれた識別情報を用いて、情報書込／読出装置３０がＩＣモジュール２２ｂの情報の読み出し可能範囲内に位置しているかどうかを検出する。
【００３５】
ステップＳ１３にて指定された情報に対応づけられて記憶部３２に記憶されたコードが情報書込／読出部３３にて読み出された場合は、実際には、ステップＳ１３にて指定された情報に対応づけられて記憶部３２に記憶されたコードと、ＩＣモジュール２２ａに予め付与されて書き込まれた識別情報が少なくとも情報書込／読出部３３にて読み出されることになる。これにより、まず、情報書込／読出装置３０がＩＣモジュール２２ａの情報の読み出し可能範囲内に位置しているかどうかを検出することができる。
【００３６】
次に、制御部３７において、指定された情報に対応づけられて記憶部３２に記憶されたコードが情報書込／読出部３３にて読み出されたかどうかが再度検出されるが、その際、ステップＳ１４にてコードとともに情報書込／読出部３３読み出された識別情報とは異なる識別情報、すなわちＩＣモジュール２２ｂに予め付与されて書き込まれた識別情報がコードとともに読み出されたかどうかが検出される（ステップＳ１６）。ステップＳ１４にてコードとともに情報書込／読出部３３にて読み出された識別情報とは異なる識別情報がコードとともに読み出された場合は、情報書込／読出装置３０がＩＣモジュール２２ｂの情報の読み出し可能範囲内に位置していると判断することができる。
【００３７】
その場合、制御部３７における制御によって、発光部３４のＬＥＤの点滅周期がステップＳ１５における周期よりも短く設定されてＬＥＤが点滅し、また、音情報出力部３５のブザーの鳴動音量がステップＳ１５における音量よりも大きく設定され、ブザーが鳴動する（ステップＳ１７）。
【００３８】
これにより、情報書込／読出装置３０がＩＣモジュール２２ａ，２２ｂの情報の読み出し可能範囲外に位置する場合は、発光部３４のＬＥＤが点滅しないとともに音情報出力部３５のブザーが鳴動せず、また、情報書込／読出装置３０がＩＣモジュール２２ａの情報の読み出し可能範囲内であって、ＩＣモジュール２２ｂの情報の読み出し可能範囲外に位置する場合は、発光部３４のＬＥＤが所定の周期で点滅するとともに音情報出力部３５のブザーが所定の音量で鳴動し、また、情報書込／読出装置３０がＩＣモジュール２２ａ，２２ｂの情報の読み出し可能範囲内に位置する場合は、発光部３４のＬＥＤが所定の周期よりも短い周期で点滅するとともに音情報出力部３５のブザーが所定の音量よりも大きな音量で鳴動することになるため、情報書込／読出装置３０がラベル２０に近づいているかどうかを判断することができ、物品１０を検索することができる。
【００３９】
なお、本形態においては、物品１０を検索する際に、記憶部３２に記憶された情報が情報表示部３６に表示され、その中から検索したい物品１０を示す情報が指定されているが、検索したい物品１０を示す情報を操作部３１を介して直接入力することも考えられる。
【００４０】
また、本形態においては、情報書込／読出装置３０の操作部３１を介して所望の情報が入力される構成としたが、情報書込／読出装置３０にパーソナルコンピュータ等の情報処理装置を接続し、この情報処理装置にて所望の情報を入力することも考えられる。その場合、情報処理装置においてもラベル２０が貼付された物品１０の管理を行うことができる。
【００４１】
（第２の実施の形態）
図５は、本発明の検索システムの第２の実施の形態を示す図である。
【００４２】
本形態は図１に示すように、物品１１０に貼付されたラベル１２０と、ラベル１２０に対して非接触状態で情報の書き込み及び読み出しを行うとともに、外部から指定された情報とラベル１２０から読み出された情報とに従って所定の情報を出力する検索手段である情報書込／読出装置１３０とから構成されている。また、情報書込／読出装置１３０は、情報を入力するためのテンキー等の操作部１３１と、ラベル１２０に対する情報の書き込み及び読み出しを非接触状態で行う情報書込／読出部１３３と、ＬＥＤ等の発光体からなり、操作部１３１にて指定された情報と情報書込／読出部１３３にてラベル１２０から読み出された情報とに基づいて発光する発光部１３４と、ブザー等からなり、操作部１３１にて指定された情報と情報書込／読出部１３３にてラベル１２０から読み出された情報とに基づいて音情報を出力する音情報出力部１３５と、液晶パネル等からなり、情報が表示される情報表示部１３６と、操作部１３１にて指定された情報と情報書込／読出部１３３にてラベル１２０から読み出された情報とに基づいて発光部１３４及び音情報出力部１３５を制御し、また、情報表示部１３６における情報の表示を制御する制御部１３７とから構成されている。
【００４３】
図６は、図５に示したラベル１２０の構成を示す図であり、（ａ）は内部構造を示す図、（ｂ）は（ａ）に示したＡ−Ａ’断面図である。
【００４４】
本形態におけるラベル１２０は図６に示すように、情報書込／読出装置１３０によって非接触状態にて情報の書き込み及び読み出しが行われる２つの回路部１２１ａ，１２１ｂが設けられており、２つの回路部１２１ａ，１２１ｂはそれぞれ、情報書込／読出装置１３０による電磁誘導によって電流が生じ、情報書込／読出装置１３０との間にて情報の送受信を行うための導電性を有するコイル状のアンテナ１２３ａ，１２３ｂと、アンテナ１２３ａ，１２３ｂとそれぞれ接続され、アンテナ１２３ａ，１２３ｂを介して情報書込／読出装置１３０との間にて非接触状態にて情報の書き込み及び読み出しが可能なＩＣモジュール１２２ａ，１２２ｂとが、情報が記載可能な紙１２６上に設けられており、アンテナ１２３ａの外径がアンテナ１２３ｂの外径よりも大きくなるように構成されている。そのため、情報書込／読出装置１３０による非接触状態における情報の読み出し可能距離が、回路部１２１ｂよりも回路部１２１ａの方が長くなっている。また、ＩＣモジュール１２２ａ，１２２ｂには、ＩＣモジュール１２２ａ，１２２ｂに共通な第１のコードと、ＩＣモジュール１２２ａ，１２２ｂ毎にそれぞれ予め与えられた第２のコードとからなる識別情報が書き込まれている。また、紙１２６のＩＣモジュール１２２ａ，１２２ｂが設けられた面において、ＩＣモジュール１２２ａ，１２２ｂ及びアンテナ１２３ａ，１２３ｂが設けられていない領域にカーボン層１２４が積層されており、また、カーボン層１２４が積層された領域を避けるように塗布された接着剤からなる接着層１２５が設けられている。
【００４５】
以下に、上記のように構成された検索システムを用いた物品１１０の検索方法について説明する。
【００４６】
まず、ラベル１２０を物品１１０に貼付する際の処理について説明する。
【００４７】
図７は、図５及び図６に示したラベル１２０を物品１１０に貼付する際の処理を説明するための図であり、（ａ）はラベル１２０が台紙に貼付され、かつ、ラベルには何も記入されていない状態を示す図、（ｂ）はラベル１２０が台紙に貼付された状態であって、ラベル１２０に情報が記入された状態を示す図、（ｃ）は情報が記入されたラベル１２０が台紙から剥離された状態を示す図である。なお、本例では、１枚の台紙に２枚のラベル１２０ａ，１２０ｂが剥離可能に貼付されているものとする。
【００４８】
図７（ａ）に示すような、２枚のラベル１２０ａ，１２０ｂが台紙１２７に貼付され、かつ、この２枚のラベル１２０ａ，１２０ｂに何も記入されていない状態において、図７（ｂ）に示すように、ラベル１２０ａの表面に所望の情報を記入する。
【００４９】
ラベル１２０ａの表面に記入された情報は、ラベル１２０ａを構成する紙１２６上に記入されることになるが、紙１２６の裏面には複写機能を果たすカーボン層１２４が形成されているため、紙１２６に対する情報の記入に伴う押圧により、紙１２６に記入された情報がカーボン層１２４によって台紙１２７に複写される。
【００５０】
その後、台紙１２７からラベル１２０ａを剥離すると、図７（ｃ）に示すように、台紙１２７のラベル１２０ａが貼付されていた領域において、ラベル１２０ａに記入された情報と同一の情報が視認可能となる。
【００５１】
台紙１２７には、ラベル１２０ａに内蔵されたＩＣモジュール１２２ａ，１２２ｂに予め付与されて書き込まれた第１のコードに対応するラベルＮｏが記載されているため、台紙１２７から剥離したラベル１２０ａを物品１１０に貼付した場合、どの第１のコードによって識別されるラベル１２０ａがどの物品１１０に貼付されているかを認識することができる。なお、このラベルＮｏと第１のコードとの対応は、情報書込／読出装置１３０にも予め与えられている。
【００５２】
なお、本形態においては、ラベル１２０の裏面に複写機能としてカーボン層１２４を設け、それにより、ラベル１２０に記入された情報を台紙１２７に複写しているが、ラベル１２０の裏面に発色剤を塗布するとともに台紙１２７に顕色剤を塗布したり、台紙１２７のみに顕色剤を塗布したりすることによって複写機能を果たすことも考えられる。
【００５３】
次に、ラベル１２０を用いて物品１１０を検索する際の処理について説明する。
【００５４】
図８は、図５及び図６に示した検索システムにてラベル１２０を用いて物品１１０を検索する際の処理を説明するためのフローチャートである。
【００５５】
まず、情報書込／読出装置１３０の操作部１２１において、所望の物品１１０に貼付されたラベル１２０のラベルＮｏを指定すると（ステップＳ２１）、制御部１３７において、指定されたラベルＮｏに対応する第１のコードが情報書込／読出部１３３にて読み出されたかどうかが検出され（ステップＳ２２）、指定されたラベルＮｏに対応する第１のコードが情報書込／読出部１３３にて読み出された場合は、制御部１３７における制御によって、発光部１３４のＬＥＤが所定の周期で点滅するとともに、音情報出力部１３５にてブザーが所定の音量で鳴動する（ステップＳ２３）。
【００５６】
ここで、物品１１０に貼付されたラベル１２０には、情報書込／読出装置１３０による非接触状態における情報の読み出し可能距離が互いに異なる２つのＩＣモジュール１２２ａ，１２２ｂが内蔵されており、また、その読み出し可能距離がＩＣモジュール１２２ｂよりもＩＣモジュール１２２ａの方が長いため、情報書込／読出装置１３０のラベル１２０に対する位置パターンとしては、情報書込／読出装置１３０がＩＣモジュール１２２ａ，１２２ｂの情報の読み出し可能範囲外に位置する場合と、情報書込／読出装置１３０がＩＣモジュール１２２ａの情報の読み出し可能範囲内であって、ＩＣモジュール１２２ｂの情報の読み出し可能範囲外に位置する場合と、情報書込／読出装置１３０がＩＣモジュール１２２ａ，１２２ｂの情報の読み出し可能範囲内に位置する場合とが考えられる。そのため、ステップＳ２２における処理のみでは、情報書込／読出装置１３０がＩＣモジュール１２２ａの情報の読み出し可能範囲内に位置しているかどうかを検出することができるものの、情報書込／読出装置１３０がＩＣモジュール１２２ｂの情報の読み出し可能範囲内に位置しているかどうかを検出することができない。
【００５７】
そこで、ＩＣモジュール１２２ａ，１２２ｂ毎に予め与えられ、書き込まれた第２のコードを用いて、情報書込／読出装置１３０がＩＣモジュール１２２ｂの情報の読み出し可能範囲内に位置しているかどうかを検出する。
【００５８】
ステップＳ２１にて指定されたラベルＮｏに対応する第１のコードが情報書込／読出部１３３にて読み出された場合は、実際には、ステップＳ２１にて指定されたラベルＮｏに対応する第１のコードと、ＩＣモジュール２２ａに予め付与されて書き込まれた第２のコードが少なくとも情報書込／読出部１３３にて読み出されることになる。これにより、まず、情報書込／読出装置１３０がＩＣモジュール１２２ａの情報の読み出し可能範囲内に位置しているかどうかを検出することができる。
【００５９】
次に、制御部１３７において、ステップＳ２１にて指定されたラベルＮｏに対応する第１のコードが情報書込／読出部１３３にて読み出されたかどうかが再度検出されるが、その際、ステップＳ２２にてコードとともに情報書込／読出部１３３読み出された第２のコードとは異なる第２のコード、すなわちＩＣモジュール２２ｂに予め付与されて書き込まれた第２のコードが第１のコードとともに読み出されたかどうかが検出される（ステップＳ２４）。ステップＳ２２にて第１のコードとともに情報書込／読出部１３３にて読み出された第２のコードとは異なる第２のコードが第１のコードとともに読み出された場合は、情報書込／読出装置１３０がＩＣモジュール１２２ｂの情報の読み出し可能範囲内に位置していると判断することができる。
【００６０】
その場合、制御部１３７における制御によって、発光部１３４のＬＥＤの点滅周期がステップＳ２３における周期よりも短く設定されてＬＥＤが点滅し、また、音情報出力部１３５のブザーの鳴動音量がステップＳ２３における音量よりも大きく設定され、ブザーが鳴動する（ステップＳ２５）。
【００６１】
これにより、情報書込／読出装置１３０がＩＣモジュール１２２ａ，１２２ｂの情報の読み出し可能範囲外に位置する場合は、発光部１３４のＬＥＤが点滅しないとともに音情報出力部１３５のブザーが鳴動せず、また、情報書込／読出装置１３０がＩＣモジュール１２２ａの情報の読み出し可能範囲内であって、ＩＣモジュール１２２ｂの情報の読み出し可能範囲外に位置する場合は、発光部１３４のＬＥＤが所定の周期で点滅するとともに音情報出力部１３５のブザーが所定の音量で鳴動し、また、情報書込／読出装置１３０がＩＣモジュール１２２ａ，１２２ｂの情報の読み出し可能範囲内に位置する場合は、発光部１３４のＬＥＤが所定の周期よりも短い周期で点滅するとともに音情報出力部１３５のブザーが所定の音量よりも大きな音量で鳴動することになるため、情報書込／読出装置１３０がラベル１２０に近づいているかどうかを判断することができ、物品１１０を検索することができる。
【００６２】
なお、上述した２つの実施の形態においては、物品に貼付されるラベルに２つの回路部が設けられているが、その数は２つに限らず、複数であれば、情報書込／読出装置と物品との距離を認識することができる。
【００６３】
また、ラベルに電池を内蔵することも考えられ、その場合、情報書込／読出装置による非接触状態における情報の読み出し距離を長くすることができる。
【００６４】
【発明の効果】
以上説明したように本発明においては、物品に貼付されたラベルを用いて該物品の検索を行う検索システムにおいて、ラベルに、非接触状態にて情報の書き込み及び読み出しが可能な回路部が内蔵され、回路部に書き込まれた情報を非接触状態にて読み出し可能に構成され、外部からの指定に基づく情報を回路部から読み出した場合に所定の情報を出力する検索手段が設けられているため、物品を紛失した場合においても紛失した物品を容易に探し出すことができる。
【００６５】
また、ラベルに、内部に書き込まれた識別情報が互いに異なるとともに、検索手段による非接触状態における情報の読み出し可能距離が互いに異なる複数の回路部を内蔵しておき、検索手段において、回路部から識別情報を読み出した際に識別情報毎に異なる情報を出力するように構成されているものにおいては、検索対象となる物品までの距離を認識することができる。
【００６６】
また、ラベルの一方の面を、情報が記載可能に構成された情報記載面とし、他方の面を貼付面とし、さらに、貼付面に複写機能を持たせたものにおいては、貼付する物品を示す情報等をラベルの情報記載面に記載すると、ラベルが物品に貼付される前に貼付されていた台紙にこの情報が複写されることになり、台紙から剥離されたラベルがどの物品に貼付されているかを認識することができるとともに、ラベルを識別するために台紙に予め記載された識別情報を用いて物品を探し出すことができる。
【図面の簡単な説明】
【図１】本発明の検索システムの第１の実施の形態を示す図である。
【図２】図１に示したラベルの構成を示す図である。
【図３】図１及び図２に示した検索システムにて物品に貼付されたラベルに情報を書き込む際の処理を説明するためのフローチャートである。
【図４】図１及び図２に示した検索システムにてラベルに書き込まれた情報を用いて物品を検索する際の処理を説明するためのフローチャートである。
【図５】本発明の検索システムの第２の実施の形態を示す図である。
【図６】図５に示したラベルの構成を示す図であり、（ａ）は内部構造を示す図、（ｂ）は（ａ）に示したＡ−Ａ’断面図である。
【図７】図５及び図６に示したラベルを物品に貼付する際の処理を説明するための図であり、（ａ）はラベルが台紙に貼付され、かつ、ラベルには何も記入されていない状態を示す図、（ｂ）はラベルが台紙に貼付された状態であって、ラベルに情報が記入された状態を示す図、（ｃ）は情報が記入されたラベルが台紙から剥離された状態を示す図である。
【図８】図５及び図６に示した検索システムにてラベルを用いて物品を検索する際の処理を説明するためのフローチャートである。
【符号の説明】
１０，１１０　　物品
２０，１２０，１２０ａ，１２０ｂ　　ラベル
２１ａ，２１ｂ，１２１ａ，１２１ｂ　　回路部
２２ａ，２２ｂ，１２２ａ，１２２ｂ　　ＩＣモジュール
２３ａ，２３ｂ，１２３ａ，１２３ｂ　　アンテナ
３０，１３０　　情報書込／読出装置
３１，１３１　　操作部
３２　　記憶部
３３，１３３　　情報書込／読出部
３４，１３４　　発光部
３５，１３５　　音情報出力部
３６，１３６　　情報表示部
３７，１３７　　制御部
１２４　　カーボン層
１２５　　接着層
１２６　　紙
１２７　　台紙
【図１】
2004094534.tif 000003
【図２】
2004094534.tif 000004
【図３】
2004094534.tif 000005
【図４】
2004094534.tif 000006
【図５】
2004094534.tif 000007
【図６】
2004094534.tif 000008
【図７】
2004094534.tif 000009
【図８】
2004094534.tif 000010